(57)【特許請求の範囲】
【請求項１】
吊り具本体(１０)と、ナット(６)と、該ナット(６)に嵌装され前記吊り具本体(１０)が下端に取付けられたボルトからなる吊り杆(２)と、該吊り杆(２)を屋根板(６０)に取付ける取付部材とからなる折板屋根用の樋吊り具であって、前記吊り杆(２)における吊り具本体(１０)の上面から前記ナット(６)の上面までの距離（Ｗ）が屋根板(６０)の山部(６１)からの樋(４０)の取付位置(Ｌ)を規定すべく、前記ナット(６)が前記距離の位置より下降しないように前記ナット(６)の位置を規定する位置規定手段が前記吊り杆(２)に設けられ、前記位置規定手段が前記吊り杆（２）を挟んで該吊り杆（２）の周囲を覆うように該吊り杆（２）に嵌め込める帯状部材（３１）であり、しかも、該帯状部材（３１）を締付ける締付け部材（３４）が設けられることを特徴とする折板屋根用の樋吊り具。
【請求項２】
前記距離（Ｗ）が樋(４０)の取付勾配に対応して段階的に設定され、段階的に設定された寸法で前記位置規定手段がそれぞれ形成される請求項１記載の折板屋根用の樋吊り具。
【発明の詳細な説明】
【０００１】
【発明の属する技術分野】
本発明は、折板屋根用の樋吊り具に関する。
【０００２】
【従来の技術】
従来、この種の樋吊り具として、例えば、図７に示すようなものが知られている。図７は、従来の樋吊り具を用いて折板型の屋根板６０に樋４０を取り付ける構造を概略的に示している。かかる樋吊り具は、吊り具本体１０と吊り杆２とナット６等とからなる。また、折板型の屋根板６０は、山部６１と谷部６２とが、山部６１の両下部６３でほぼ角形で拡げられた構造であり、以下、折板屋根ということがある。
【０００３】
図７に示したように、折板型の屋根板６０の下側（軒下側）に設置されているタイトフレーム６４と屋根板６０とが所定の位置でボルト６５等により固定されており、樋吊り具の吊り杆２が貫挿される開口部が屋根板６０の軒先側の所定の位置に設けられている。
【０００４】
そして、長尺のボルトからなり、ナット６に嵌装され、下端に吊り具本体１０が取付られた吊り杆２が該開口部に貫挿され、屋根板６０の上側から前記ボルトにフェルト３、山座４が取り付けられたのち、ナット５が嵌められ締付けられて固定されている。そして、この吊り具本体１０に、その係止部１２で樋４０の耳部４１を抱え込むようにして樋４０が取り付けられている。
【０００５】
ここで、折板屋根の山部６１の下面６１ａから吊り具本体１０の係止部１２の上面１２ａまでの距離Ｌを、樋４０の「取付位置」という（図５及び図６参照）。
【０００６】
【発明が解決しようとする課題】
前述したような樋吊り具は、施工者が屋根上で取付施工するので、前記「取付位置」Ｌや、前記長尺のボルトが屋根板６０の下側にどれだけ出ているかという長さ等が、施工者が屈み込んだりしてもこれらを直接正確にみることができないので、わかりにくい。
【０００７】
即ち、長尺のボルトの上端を屋根板６０上に引き上げて屋根板６０上でナット等で締付ける際、折板屋根の山部６１と谷部６２の適正に段差分を見込んで長尺ボルトを引き上げて締付けるようにしないと、図５に示した最も右側の谷部６２のように屋根板６０の谷部６２に触接してしまい、樋４０を屋根板６０の軒先に適正に取り付けることができない。
【０００８】
然るに、樋４０は、複数本の樋を互いに接続させたうえ、屋根の軒先に沿う方向に雨水等が流下し得る程度の勾配（以下、「取付勾配」という）をつけて軒先に取付ける必要があり、この取付勾配の調整が思いのほか困難であり、これらの取付けがうまくいかない場合には、ナットの締付けを外したうえで再度調整しながら施工しなければならない。
【０００９】
しかも、このような屋根上での樋４０の取付作業は、どうしても屈んだ姿勢で行うことが多くならざるを得ず、施工者が屋根上から転落しないように注意を払いつつ、尚且つ、屈んだ姿勢で長時間の作業を繰返すのは、非効率であるばかりか、転落の危険があるという問題を含んでいる。
【００１０】
本発明は、前述した問題点に鑑みてなされたものであり、樋の取付施工時に樋取付位置の調整等の不要な、折板屋根用の樋吊り具を提供することを課題とする。
【００１１】
【課題を解決するための手段】
前述した課題を解決すべく、本発明に係わる折板屋根用の樋吊り具は、吊り具本体１０と、ナット６と、該ナット６に嵌装され前記吊り具本体１０が下端に取付けられたボルトからなる吊り杆２と、該吊り杆２を屋根板６０に取付ける取付部材とからなる折板屋根用の樋吊り具であって、前記吊り杆２における吊り具本体１０からの前記ナット６の距離が屋根板６０の山部６１からの樋４０の取付位置Ｌを規定すべく、前記ナット６が前記距離の位置より下降しないように前記ナット６の位置を規定する位置規定手段が前記吊り杆２に設けられているので、ナット６が自由に下降してしまうことがなく、吊り杆２の上端を屋根板６０上に引き上げて取付ける際に樋吊り具の取付位置の調整等が不要である。
【００１２】
さらに、本発明は、前記位置規定手段を、前記吊り杆２を挟んで該吊り杆２の周囲を覆うように該吊り杆２に嵌め込める嵌め込み部材とすることができるので、該嵌め込み部材を吊り杆２へ取付けることが極めて容易である。
【００１３】
そして、前記嵌め込み部材を樋状の帯状部材３１としたときには、種々の段差の折板屋根の段差のそれぞれに対応して樋の取付位置Ｌの高低が生じるが、この取付位置Ｌの高低に応じた寸法の帯状部材３１とすることができ、吊り杆２を引き上げる力が大きいときでもこの力に抗して帯状部材３１によってナット６の位置が規定されているので、ナット６が樋４０の取付位置Ｌを確実に規定でき、しかも、吊り杆２の表面を保護できる。
【００１４】
さらに、本発明は、締付け部材３４をさらに設け、前記嵌め込み部材を該締付け部材３４によって締付けることができるので、帯状部材３１が不用意に欠落することなく帯状部材３１をより確実に吊り杆２に取付けできる。
【００１６】
さらに、本発明は、前記距離Ｗを樋４０の取付勾配に対応して段階的に設定し、段階的に設定された寸法で前記位置規定手段をそれぞれ形成できるので、この段階的に設定された寸法で順に取付施工することにより、樋４０の取付勾配が屋根作業等を要することなく施工できる。
【００１７】
【発明の実施の形態】
以下、添付図面を参照しつつ、本発明の実施の形態について説明する。
【００１８】
実施の形態１
図１は、本実施の形態に係わる折板屋根用の樋吊り具の構成を示しており、(ａ)は位置規定手段の一例としての帯状部材３１を取付けた樋吊り具、(ｂ)は吊り具本体１０、(ｃ)及び(ｄ)は、吊り杆２を挟んで吊り杆２の周囲を覆うように吊り杆２に嵌め込める嵌め込み部材としての樋状の帯状部材３１を示す上面説明図及び側面説明図である。以下、特に説明しない構成は従来と同様である。
【００１９】
本発明に係わる折板屋根用の樋吊り具は、吊り具本体１０と、ナット６と、吊り杆２と、取付部材（フェルト３、山座４及びナット５）と、位置規定手段とによって構成され、位置規定手段は、吊り杆２における吊り具本体１０からのナット６の距離、即ち、支持板１１の上面からナット６の上面までの距離（以下「吊り距離」という）Ｗを規定している。
【００２０】
この吊り距離Ｗは、樋４０の取付位置Ｌに、支持板１１からの係止部１２の高さＤを加えた寸法に相当するので、吊り距離Ｗが規定されることにより、取付位置Ｌが規定される。そして、ナット６がこの吊り距離Ｗの位置から自由に下降しないように位置規定手段がナット６の位置を規定し、ナット６は屋根板６０の山部６１からの樋４０の取付位置Ｌを規定している。従って、位置規定手段は、ナット６の位置を規定することにより樋４０の取付位置を規定している。
【００２１】
そして、この「吊り距離Ｗに樋４０の取付勾配を加味した寸法」からナット６の厚さｔ6を減じて（ナット１３が設けられているときはナット１３の厚さｔ13をｔ6に加算した合計値を減じて）位置規定手段の寸法Ｈを設定する。樋４０の取付勾配については後述する。
【００２２】
以下、本実施の形態に係わる各構成要素について説明する。
【００２３】
まず、吊り具本体１０は、従来例と同様に、例えばステンレス製の短冊形状の支持板１１と、この支持板１１の両端側に設けられた係止部１２とからなっており、この両端側の係止部１２の間に貫通孔１４が穿設開口され、この貫通孔１４に吊り杆２が貫挿され、吊り杆２とナット１３とが取り付けられている。係止部１２は、樋本体４１の耳部４２を係止する。
【００２４】
次に、吊り杆２は、例えばステンレス製の長尺の吊りボルト（以下、単に「ボルト」ということがある）がナット６に嵌装されており、吊り杆２の下端には、ナット１３等により吊り具本体１０が取り付けられている。ナット１３の代わりに溶接等で吊り具本体１０を吊り杆２に直付けすることもできる。吊り杆２を屋根板６０に取付ける取付部材は、従来例と同様に、フェルト３と山座４とナット５とからなる。
【００２５】
このような樋吊り具の取付施工については、従来と同様に、折板屋根の山部６１の軒先付近において所定の位置に前記ボルト２を挿通できる開口部が設けられており、この開口部で前記ボルト２が山座４とナット５等とで屋根板６０上で固定され、屋根板６０下でナット６で固定される。そして、屋根板６０から前記ボルト２が吊り下げられ、ボルト２に取り付けられている吊り具本体１０によって樋４０が吊り下げられる。
【００２６】
前述したように、取付位置Ｌに係止部高さＤを加えた寸法が前記吊り距離Ｗであり（図５及び図６参照、但し、図５及び図６においては吊り杆２の取付部材であるナット３等は図示を省略）、図１の(ｄ)に示した帯状部材３１の長さＨは、この吊り距離Ｗからナット６の厚さｔ6とナット１３の厚さｔ13との合計値を減じ、樋４０の取付勾配を加味して設定した寸法である。
【００２７】
以上のように構成することにより、本発明に係わる位置規定手段は、ナット６の位置を規定し、ナット６が自由に下降することがなく、ナット６が屋根板６０の山部６１と樋４０との間隔を規定している。よって、吊り杆２の上端を屋根板６０上に引き上げたときに吊り具本体１０の係止部１２の上面１２ａが屋根の谷部６２に触接することがない。
【００２８】
従って、取付施工時に吊り距離Ｗに関する調整等が全く不要であり、大変効率的に施工でき、しかも、屋根上で樋４０の取付作業をすることに由来する転落のおそれ等に対して余分の注意を払ったりする必要がない。
【００２９】
かかる位置規定手段について帯状部材３１を例示して説明してきたが、該帯状部材３１は嵌め込み部材の一形態であり、本発明は、その他にも種々の形態をとり得る。以下、帯状部材３１の説明を補足し、さらに他の実施の形態を説明する。
【００３０】
さて、嵌め込み部材の一形態としての帯状部材３１は、前記吊り杆２を挟んで吊り杆２を覆うようにして吊り杆２に嵌め込めるように形状及び材質が設定され、寸法Ｈが設定されて形成されている。
【００３１】
まず、その形状は、図１の(ａ)、(ｃ)及び(ｄ)に示したように、吊り杆２を挟み込んで固定でき、しかも外力が加わっても前面側３１ａが開く等して固定状態が解除されて容易に滑り落ちたりすることがないように、前面側３１ａが吊り杆２の直径よりもやや小さい樋状の（従って、その上下の端面及び断面がほぼＣ字形又は馬蹄形）湾曲した形状に形成されている。そして、その長さＨは、樋４０の取付位置Ｌの高低に応じた前記吊り距離Ｗに取付勾配を加味した寸法に一致した寸法である。
【００３２】
次に、材質は、吊り杆２を挟み込むように嵌め込む際にやや弾性があって吊り杆２に押し込むようにして嵌め込みやすく、しかも、嵌め込んだ後は前述した形状を保ち、尚且つ、長期にわたって弾性が劣化しないものが好ましい。このような要件を満たすものであれば何でも用いることができるが、例えば、塩化ビニルのような合成樹脂材料や工具鋼のような金属材料であれば前述した形状が量産しやすく、材料も安価に入手できるので好ましい。
【００３３】
そして、このような形状及び材質であると、ナット６の自由な下降を確実に抑止し、吊り杆２を引き上げる力が大きい場合でも吊り杆２を屋根板６０上に引き上げる限度を規定してその限度以上の引き上げを抑止でき、前記吊り距離Ｗを確実に維持できるので好ましい。
【００３４】
また、このような樋状の湾曲した帯状部材３１は、吊り杆２への取付けが極めて容易であるので、樋４０を屋根板６０に取り付ける取付施工における作業工数を殆ど増やすことがない。
【００３５】
さらに、帯状部材３１は、吊り杆２の表面を保護し、吊り杆２の表面のネジ山を損傷することが全くなく、雨雪による腐食等の発生を抑制でき、外観的に意匠を工夫したデザインを採用することもできるという利点を有する。
【００３６】
以上のような帯状部材３１の表面に、図２に示したように、さらにワイヤ状又は帯板状の締付け部材３４を設けて嵌め込み部材と吊り杆２とを締付けることができ、帯状部材３４をより確実に固定できる。
【００３７】
この場合、樋吊り具の取付位置Ｌを確実に規定でき、工場等で準備された樋吊り具を施工現場に搬入する際等、施工前に帯状部材３１が不用意に欠落したりすることを防止できるので好ましい。この締付け部材３４は、前述した合成樹脂材料や金属材料の他、不織布、ゴム等であってもよい。
【００３８】
このような樋吊り具の取付にあたっては、位置規定手段を吊り杆２に取付けたのちに吊り具本体１０を屋根板６０に取付施工する点が異なるのみであり、その他は全く従来と同じ工法により行う。
【００３９】
実施の形態２
以下、位置規定手段の他の形態について説明する。以下の説明においては、実施の形態１と異なる構成についてのみ説明し、特に説明しない構成は実施の形態１と同じである。
【００４０】
本実施の形態においては、前記嵌め込み部材を、図３に示すようなワイヤ状部材３２によって実施する。かかるワイヤ状部材３２は、前記吊り杆２を挟んで吊り杆２に嵌め込めるように形状及び材質が設定されて形成されている。
【００４１】
まず、形状は、吊り杆２を挟み込むように、吊り杆２の外周を取り巻くように嵌め込むことができ、しかも、特に、吊り杆２の長さ方向に滑り落ちることがないように吊り杆２の直径よりも小さくし、嵌め込んだときに内周側に収縮力が作用するような形状（従って、Ｃ字形又は馬蹄形）に形成されている。
【００４２】
そして、吊り具本体１０の支持板１１からの吊り距離Ｗに取付勾配を加味した寸法の位置で吊り杆２に取付けておくことによって、折板屋根の山部６１からの、樋吊り具の取付位置Ｌを規定する。
【００４３】
次に、その材質は、吊り杆２を挟み込む際に弾性があって押し込むようにして嵌め込みやすく、しかも、嵌め込んだ後は前述した形状を保ち、尚且つ、屋根板６０上から吊り杆２の上部を引き上げる際の引き上げ力に抗して吊り杆２との間に摩擦力を有して嵌まり込み、長期にわたって弾性が劣化しないものが好ましい。
【００４４】
このような要件を満たすものであれば何でも用いることができるが、合成樹脂材料や金属材料であれば前述した形状が量産しやすく、安価に入手できるので好ましい。また、細い針金線を複数本撚り合わせたものであれば、特に吊り杆２の表面のネジ山にその表面が係着しやすいので好ましい。
【００４５】
このような形状及び材質であると、前記吊り距離Ｗ及び取付位置Ｌを確実に維持できるので好ましい。また、ゴムのような材料でも吊り杆２に緊縛できるので、ナット６の位置を規定できる点で好ましい。このように、Ｃ字状のワイヤ状部材３２を用いる場合は、帯状部材３１のように折板屋根の形状に基づいた種々の寸法を作製する必要がなく、単一種類の部品でよく、部品コストを低廉にして吊り杆２に取付けることができる。
【００４６】
実施の形態３
本実施の形態においては、吊り杆２としての長尺のボルトが嵌装されたナット６のボルト２上での自由な下降を抑止する構成として実施の形態１又は２の他に採用し得る構成を説明する。
【００４７】
まず、図４に、貫通孔７にピン８を挿装する直前の状態として示すように、ボルト２に、ボルト２の直径よりも小さい径の貫通孔７を開口し、この貫通孔７に、図示したピン８等を挿装することによってナット６の自由な下降を抑止することができる。かかるピン８は、直線部８ａを貫通孔７に挿装し、曲がり部８ｂをボルト２のネジ山にからませると抜けにくいので、好ましい。この構成により、安価且つ簡便に、吊り距離Ｗに取付勾配を加えた寸法を維持することができる。
【００４８】
次に、前述のようなピン又はワイヤを、貫通孔を介することなく、図４の(ｂ)に示したピン９のように、ボルト２のネジの山谷に絡ませて巻き付けるようにしてナット６の自由な下降を抑止することができる。この構成により、ピン８のように直線部８ａは必ずしも要せず適宜の長さのピン又はワイヤを手軽に利用できる。
【００４９】
さらに、加圧工具等でネジの山谷を潰すようにしたり、ネジの山谷を樹脂材料やセメント材料で埋め込んだりしてネジ山の機能を効かなくするようにする構成（図示せず）としてもよい。前者の構成によれば、新たな材料・部品を要せず手軽にナット６の自由な下降を抑止することができ、後者の構成によれば安価な材料で力作業を要しない。
【００５０】
また、さらに、本実施の形態の構成において、ナット６の自由な下降を抑止すべき位置に、例えば、タグを付与する等のようにしてマーキングを施しておくことにより、施工者がナット６の不意の下降に気づいて対策を施すことができ、実施の形態１〜３に示したような部材を用いてより確実にナット６の不意の下降を防止する。
【００５１】
実施の形態４
本実施の形態においては、種々の折板屋根の「取付勾配」を設計した際に、吊り杆２における位置規定手段の寸法、又は、取付ける位置を該取付勾配に対応させて算定し、その位置規定手段の寸法、又は、位置規定手段の取付位置を段階的に変えたものをそれぞれ作製し、これを順番に屋根板６０に取付けたのち、樋４０を取付けることによって、樋４０の長さ方向にわたって樋４０の取付勾配を適正に配設するようにしたものである。
【００５２】
例えば、取付勾配Ｇを、水平線に対する樋４０の傾き角として図５に示したθで表すと、Ｌ1及びＬ2については、Ｌ1＝Ｌ2＋Ｈ・ｔａｎθであり、Ｇ＝Ｌ1−Ｌ2 という関係となることから、位置規定手段の寸法、又は、取付位置を該取付勾配に対応させて算定できる。
【００５３】
かかる構成によって樋４０の取付勾配を容易に正しく施工することができ、従来のように樋４０の取付がうまくいかない場合に、ナット等の締付けを外したうえで再度施工しなければならないというような不具合が全くない。以上要するに、屋根作業や調整作業等を全く要せず取付勾配を施工でき、効率よく確実に樋４０の取付勾配を得る。
【００５４】
【発明の効果】
本発明に係わる折板屋根用の樋吊り具は、ナットと位置規定手段とが吊り杆に配設されており、ナットが位置規定手段により自由な下降を抑止されることにより、ナットが屋根板の山部と樋との間隔を規定して樋を取付できる構成により、樋を屋根に取り付ける際に樋吊り具の取付位置の調整等が不要であり、大変効率的に施工でき、屋根上での樋取付作業による転落等に注意を払ったりする必要がないという極めて優れた効果を奏する。
【００５５】
また、吊り杆を挟んで該吊り杆の周囲を覆うように嵌め込める嵌め込み部材で樋の取付位置を規定でき、この嵌め込み部材は吊り杆への取付けが極めて容易であるので、樋及び樋吊り具の取付施工の工数を殆ど増やすことなく実施できる。
【００５６】
また、前記嵌め込み部材を樋状の帯状部材で構成できるので、吊り杆のナットが、吊り杆を引き上げる力に抗して取付位置を確実に規定するので、吊り杆を引き上げる力が大きい場合でも確実に樋の取付位置を規定できる。そして、吊り杆の表面を保護でき、吊り杆の表面のネジ山の損傷がなく、吊り杆の腐食等も生じにくい。
【００５７】
さらに、前記嵌め込み部材が該締付部材によって締付けされるよう構成でき、帯状部材をより確実に吊り杆に取付できるので、施工前に帯状部材が不用意に欠落したりすることを防止できる。
【００５９】
さらに、本発明に係わる折板屋根用の樋吊り具は、前記吊り距離が樋の取付勾配に対応して段階的に設定され、段階的に設定された寸法で前記位置規定手段がそれぞれ形成されるので、樋の取付勾配が屋根作業や調整作業等を要せず施工でき、効率よく樋の取付勾配を得る効果を奏する。
【図面の簡単な説明】
【図１】本発明の一実施の形態を示し、(ａ)は樋吊り具の側面、(ｂ)は吊り具本体の上面、(ｃ)は位置規定手段の上面、(ｄ)は位置規定手段の側面断面をそれぞれ示す。
【図２】本発明の一実施の形態に係わる樋吊り具を示す側面図。
【図３】本発明の他の実施の形態を示し、(ａ)は樋吊り具の側面、(ｂ)は位置規定手段の上面、(ｃ)は位置規定手段の側面をそれぞれ示す。
【図４】本発明の他の実施の形態に係わる樋吊り具を示す側面図であり、(ａ)は樋吊り具の側面、(ｂ)はピンをボルトに絡ませた状態の位置での上面図。
【図５】本発明に係わる折板屋根用の樋吊り具を取付けた状態を示す軒先方向からの側面図。
【図６】本発明に係わる折板屋根用の樋吊り具を取付けた状態を示す樋の断面方向からの側面図。
【図７】従来の樋の取付状態を示す斜視図。
【符号の説明】
２…吊り杆、１０…吊り具本体、４０…樋、６０…屋根、６１…山部
【図１】
0003964072.tif 000002
【図２】
0003964072.tif 000003
【図３】
0003964072.tif 000004
【図４】
0003964072.tif 000005
【図５】
0003964072.tif 000006
【図６】
0003964072.tif 000007
【図７】
0003964072.tif 000008